(57)【要約】【課題】弾力性と耐熱性そして放熱性という電子機器にとって重要且つ基本的な要素を持ったクッション部材即ち緩衝部材を提供する。【解決手段】熱伝導性の優れたスポンジ状金属２と該スポンジ状金属の気泡内に粘着性エラストマーを充填して形成した充填材３とでもって構成する。【選択図】            図１
2004239426.tif 000002
【特許請求の範囲】
【請求項１】
熱伝導性の優れたスポンジ状金属と該スポンジ状金属の気泡内に粘着性エラストマーを充填して形成した充填材とでもって構成したことを特徴とする緩衝部材。
【請求項２】
スポンジ状金属がニッケル又は銅であり、充填材としてポリウレタンを使用したことを特徴とする請求項１記載の緩衝部材。
【発明の詳細な説明】
【０００１】
【発明の属する技術分野】
本発明は、電子機器特に内部に装着された電子部品を振動や衝撃から保護すると共に、電子部品が発生する熱を電子機器の性能等に悪影響を及ぼさないよう放熱する機能を有する緩衝部材に関するものである。
【０００２】
【従来の技術】
従来より、携帯電話やテレビジョン等電子機器の内部には、電子部品を始め各種部品が装着されていて、それら部品を振動や衝撃から保護する為にクッション部材即ち緩衝部材が使用されている。然し、最近の電子機器はプラズマテレビにしても携帯電話等にしても性能が格段に向上し機能も増える傾向にある。その為、電子機器内に装着した部品への配慮が、より重要になり、難しくなって来ている。例えば、携帯電話等電子部品を蜜に詰め込んだ電子機器は、薄く軽く小さく組み立てられていることもあり、振動や衝撃に弱く、電子部品が蜜に多数詰め込まれている関係で発生する熱も大きくなり、この熱を電子機器の性能等に悪影響を及ぼさないように放熱する必要性が更に高くなっている。そしてプラズマディスプレイの場合は、色の違いによりプラズマ照射部位の温度が大きく違う為、ディスプレイ画面のガラスの温度歪みによる破壊（割れ）が生じ、又関連する電子部品の発熱も大きく、性能等に悪影響を及ぼさないように放熱することが重要事項の一つとなっている。
【０００３】
こうした状況から、電子機器にはクッション部材即ち緩衝部材が必要不可欠であり、使用する緩衝部材には、弾力性と耐熱性が必要であるのは云うまでもなく、その上に更に高い放熱性（を有した材料）が求められている。然し、従来は弾力性と耐熱性に主眼が置かれ、放熱性についてはそれ程重要視されて無く、言い換えれば多少の放熱性を有していれば良かったと云うことでもあるが、樹脂系やゴム系を主体とした材料のクッション部材（緩衝部材）が使用されているのが現状であった。高性能化や多機能化の影響により、内部に於ける電子部品の温度が７０℃から８０℃にもなる電子部品の放熱を樹脂系やゴム系を主体とした材料の緩衝部材でもって対応するには少なからず無理があり対策が望まれていた。
【０００４】
こうした背景から、本出願人は緩衝部材の本来の役目である弾力性は勿論耐熱性を有し、更に高い放熱性能を持ち、それらの性能をバランス良く持った緩衝部材の開発を推進した。機器に悪影響を及ぼす熱を放熱するということは、悪影響を及ぼさない所へ熱を運ぶということでもあるから、熱伝導性の優れた材料を緩衝部材に組み込むことを思考した。そこで熱伝導性の優れた金属を利用した緩衝部材を調べたところ、金属製（ステンレス等）の被包部材の内部に金属製もしくは合成樹脂製の中空球体を充填した緩衝体（特開２０００−１６８８３９）或いは緩衝部材として利用可能と思われるスポンジ状焼成金属複合板（特開平１１−３５０００６）が有り、金属を緩衝部材として利用することは広義に於いて公知技術であることを認識した。
【０００５】
【発明が解決しようとする課題】
然し、上記先行技術の内金属製もしくは合成樹脂製の中空球体を充填した緩衝体は輸送容器への利用を目的としたもので、スポンジ状焼成金属複合板に於いては金属を緩衝部材として利用すること示唆しているに過ぎず、電子機器のための緩衝部材として必要な弾力性と耐熱性そして放熱性という基本的な要素を開示したものでなく、示唆しているとも云えない。
【０００６】
本発明の目的は、上記従来技術の現状に鑑み、弾力性と耐熱性そして放熱性という電子機器にとって重要且つ基本的な要素を持ったクッション部材即ち緩衝部材を提供することである。
【０００７】
【課題を解決するための手段】
上記目的を達成するために、請求項１記載の発明は、熱伝導性の優れたスポンジ状金属と該スポンジ状金属の気泡内に粘着性エラストマーを充填して形成した充填材とでもって構成したものである。このように構成したことにより、スポンジ状の金属を使用していることと、このスポンジ状の金属の連通気泡内に、弾力性があるエラストマーを充填してあるので、クッション性に富み、且つスポンジ状金属として熱伝導性の良い材料を使用しているので、電子機器の内部に装着されている重要な電子部品を始め各種部品を振動や衝撃から守るのは勿論、機器の性能や機能に悪影響を及ぼす熱を吸収放熱し、結果として電子部品ひいては電子機器をバランス良く保護することが出来る。
【０００８】
請求項２記載の発明は、スポンジ状金属がニッケル又は銅であり、充填材としてポリウレタンを使用したものである。このように構成したことにより、放熱性能が更に良くなり、弾力性に加え耐熱性、接着性、硬化性、化学性等に於いても効果あるものとすることが出来る。それはニッケルや銅が、各種金属の中でも熱伝導性の高い金属であること、又、ポリウレタンが弾力性に富んでいることに加えて耐熱性、接着性、硬化性、化学性等に於いてバランス良く優れているからである。これによって、放熱性能やクッション性はもとより、電子部品が発生する高熱に耐え、スポンジ状金属に充填した後の固着状態が安定し、適度な時間で適度な硬度となり、熱やその他化学的な影響にも強い緩衝部材とすることが出来る。
【０００９】
【発明の実施の形態】
以下、本発明の実施の形態を実施例である図１〜図４に基づき詳細に説明する。図１は、本発明による緩衝部材の一実施例を示す平面図であり、図２は、図１のＡ部詳細拡大図である。１は熱伝導性の優れた材料例えばニッケルや銅等で形成されたスポンジ状金属２と該スポンジ状金属２の連通気泡内に粘着性エラストマー即ちシリコーンゴム、ブチルゴム、アクリルゴム、ポリウレタンゴム等を充填して形成された充填材３でもって構成した緩衝部材である。尚、本実施例に於いては、一定の厚さを持つ平面視長方形の直方体として説明しているが、形状については特に限定するものではなく、用途に応じてどのような形状としても良いのは勿論である。又、充填材３の材料としては、前述の通り種々適用可能で、それぞれ有効であるが、総合的に見るとポリウレタンゴムが有効であるので、念のため付言して置く。
【００１０】
図３は、スポンジ状金属に粘着性エラストマーを充填する一方法を示す簡略図であるが、本図によってスポンジ状金属にエラストマーを充填する基本的な方法を説明する。貯留槽４内にゲル状のエラストマーである充填材５を入れ、基体であるスポンジ状金属２を前記充填材５の液面に適度に浸した後、前記スポンジ状金属２の所定範囲に吸引キャンバー６をセットし、該吸引キャンバー６に一体的に配設された吸引配管７を介してゲル状の充填材５を矢印Ｂ方向へ吸い上げ、スポンジ状金属２の連通気泡内に空気層を残さず全体に蜜に充填させるものである。気泡内に充填されたゲル状の充填材５は時間と共に固化し、しかも粘着性エラストマーを使用しているので、気泡内に確実に固着されることになる。
【００１１】
次に、本発明による緩衝部材を携帯電話に使用した場合を図４により説明する。図４は携帯電話に使用した状態を示す部分説明図であって、プリント基板９の上下適所に各種電子部品１２、１３、１４、１５、１６が取り付けられているのが理解できる。そして、これら各種電子部品の上面には緩衝部材１７、１８が配設されており、しかも緩衝部材１７、１８は外装板１０、１１によって適度の弾力性が得られるようになっていて前記各種電子部品を振動や衝撃から保護すると共に、該各種電子部品が発生する熱を前記緩衝部材１７，１８のスポンジ状金属によって、機器に悪影響を及ぼさないよう放熱するようになっている。尚、本発明による緩衝部材は、単に携帯電話やプラズマディスプレイにとどまらず種々の電子機器に応用可能であるのは云うまでもないが、念のため付言する。
【００１２】
【発明の効果】
本発明は、以上説明したように構成されているので、以下に説明するような効果を奏する。
【００１３】
本発明による緩衝部材は、熱伝導性の優れたスポンジ状金属と該スポンジ状金属の気泡内に粘着性エラストマーを充填して形成した充填材とでもって構成したので、スポンジ状金属とこのスポンジ状の金属の連通気泡内に充填した充填材によって弾力性に富み、その上スポンジ状金属として熱伝導性の良い材料を使用しているので、電子機器の内部に装着されている重要な電子部品を始め各種部品を振動や衝撃から守り、機器の性能や機能に悪影響を及ぼす熱を吸収放熱し、結果として電子部品ひいては電子機器をバランス良く保護することが出来る。
【００１４】
更に、本発明による緩衝部材は、スポンジ状金属がニッケル又は銅であり、充填材としてポリウレタンを使用したので、放熱性能が更に良くなり、弾力性に加え耐熱性、接着性、硬化性、化学性等に於いても効果あるものとすることが出来る。それはニッケルや銅が、各種金属の中でも熱伝導性の高い金属であること、又、ポリウレタンが弾力性に富んでいることに加えて耐熱性、接着性、硬化性、化学性等に於いてバランス良く優れているからで、これによって、放熱性能や弾力性はもとより、電子部品が発生する高熱に耐え、スポンジ状金属に充填した後の固着状態を安定させ、適度な時間で適度な硬度となり、熱やその他化学的な影響等にも強い緩衝部材を提供することが出来る。
【図面の簡単な説明】
【図１】本発明による緩衝部材の一実施例を示す平面図である。
【図２】図２のＡ部詳細拡大図である。
【図３】スポンジ状金属に粘着性エラストマーを充填する一方法を示す簡略図である。
【図４】本発明による緩衝部材を携帯電話等に使用した状態を示す部分説明図である。
【符号の説明】
１    緩衝部材
２    スポンジ状金属
３    充填材
４    貯留槽
５    充填材
６    吸引チャンバー
７    吸引配管
８    携帯電話
９    プリント基板
１０  外装版
１１  外装版
１２  電子部品
１３  電子部品
１４  電子部品
１５  電子部品
１６  電子部品
１７  緩衝部材
１８  緩衝部材
【図１】
2004239426.tif 000003
【図２】
2004239426.tif 000004
【図３】
2004239426.tif 000005
【図４】
2004239426.tif 000006